(57)【要約】システム獲得のために有用なモード情報を無線送信フレーム内に含める方法および装置。特に、第１の情報ビットが、送信フレームのプリアンブル内に提供される。ここで、このビットは、無線通信システムが時分割デュプレクス（ＴＤＤ）モードまたは周波数分割デュプレクス（ＦＤＤ）モードのいずれかにしたがって動作していることを示すように構成されている。単一のビットしか加えないことによって、プリアンブルのリソースへの影響を最小にする。さらに、通常は、ＦＤＤ送信がフル・デュプレクス送信であるかハーフ・デュプレクス送信であるかを通信するために、プリアンブル内に既に存在する別のビット・リソースが、第１のビットがＴＤＤモードを示す場合に、ＴＤＤモード送信に関する情報を分割することを示すように割り当てられるので、プリアンブル・リソースを増加させることなく、フレームで通信される追加情報を提供する。
2010539799.tif 000002
【特許請求の範囲】
【請求項１】
無線通信システムにおいて使用される方法であって、
時分割デュプレクス（ＴＤＤ）モードおよび周波数分割デュプレクス（ＦＤＤ）モードのうちの１つにしたがって前記無線通信システムが動作していることを示すように構成された少なくとも１つの第１の情報ビットを提供することと、
送信フレームのプリアンブル内に、前記少なくとも１つの第１の情報ビットを提供することと
を備える方法。
【請求項２】
前記少なくとも１つの情報ビットは、前記プリアンブルのパイロット・シンボル内に提供される請求項１に記載の方法。
【請求項３】
前記パイロット・シンボルは、ＩＥＥＥ規格８０２．２０にしたがって構成された送信フレーム内のＴＤＭ３パイロット・シンボルである請求項１に記載の方法。
【請求項４】
前記少なくとも１つの情報ビットは、ＩＥＥＥ８０２．２０にしたがって動作する無線通信システムにおいて、前記プリアンブルのパイロット・シンボルのＡｃｑＩｎｆｏブロック内に提供される請求項１に記載の方法。
【請求項５】
前記プリアンブル内に、少なくとも１つの第２の情報ビットを割り当てることをさらに備え、
前記少なくとも１つの第２の情報ビットは、前記少なくとも１つのビットが、前記無線通信システムのＴＤＤ動作を示す場合、ＴＤＤ分割情報を示し、前記少なくとも１つの第１のビットが、前記無線通信システムのＦＤＤ動作を示す場合、前記無線通信システムが、ハーフ・デュプレクスＦＤＤ動作およびフル・デュプレクスＦＤＤ動作のうちの１つにしたがって動作しているかを示すように構成された請求項１に記載の方法。
【請求項６】
前記少なくとも１つの第２の情報ビットは、ＩＥＥＥ８０２．２０にしたがって動作する無線通信システムにおける前記プリアンブルのパイロット・シンボルのＡｃｑＩｎｆｏブロック内のハーフ・デュプレクス・イネーブル・ビットである請求項５に記載の方法。
【請求項７】
無線通信システムにおいて動作可能な装置であって、
時分割デュプレクス（ＴＤＤ）モードおよび周波数分割デュプレクス（ＦＤＤ）モードのうちの１つにしたがって前記無線通信システムが動作していることを示すように構成された少なくとも１つの第１の情報ビットを提供し、送信フレームのプリアンブル内に、前記少なくとも１つの第１の情報ビットを提供するように構成された少なくとも１つのプロセッサと、
前記少なくとも１つのプロセッサに接続されたメモリと
を備える装置。
【請求項８】
前記少なくとも１つの情報ビットは、前記プリアンブルのパイロット・シンボル内に提供される請求項７に記載の装置。
【請求項９】
前記パイロット・シンボルは、ＩＥＥＥ規格８０２．２０にしたがって構成された送信フレーム内のＴＤＭ３パイロット・シンボルである請求項７に記載の装置。
【請求項１０】
前記少なくとも１つの情報ビットは、ＩＥＥＥ８０２．２０にしたがって動作する無線通信システムにおいて、前記プリアンブルのパイロット・シンボルのＡｃｑＩｎｆｏブロック内に提供される請求項７に記載の装置。
【請求項１１】
前記少なくとも１つのプロセッサはさらに、前記プリアンブル内に、少なくとも１つの第２の情報ビットを割り当てるように構成され、前記少なくとも１つの第２の情報ビットは、前記少なくとも１つのビットが、前記無線通信システムのＴＤＤ動作を示す場合、ＴＤＤ分割情報を示し、前記少なくとも１つの第１のビットが、前記無線通信システムのＦＤＤ動作を示す場合、前記無線通信システムが、ハーフ・デュプレクスＦＤＤ動作およびフル・デュプレクスＦＤＤ動作のうちの１つにしたがって動作しているかを示すように構成された請求項７に記載の装置。
【請求項１２】
前記少なくとも１つの第２の情報ビットは、ＩＥＥＥ８０２．２０にしたがって動作する無線通信システムにおける前記プリアンブルのパイロット・シンボルのＡｃｑＩｎｆｏブロック内のハーフ・デュプレクス・イネーブル・ビットである請求項１１に記載の装置。
【請求項１３】
時分割デュプレクス（ＴＤＤ）モードおよび周波数分割デュプレクス（ＦＤＤ）モードのうちの１つにしたがって無線通信システムが動作していることを示すように構成された少なくとも１つの第１の情報ビットを、コンピュータに提供させるためのコードと、
前記無線通信システムにおいて送信されるべき送信フレームのプリアンブル内に、前記少なくとも１つの第１の情報ビットを、前記コンピュータに提供させるためのコードと
を備えるコンピュータ読取可能媒体を備えるコンピュータ・プログラム製品。
【請求項１４】
前記少なくとも１つの情報ビットは、前記プリアンブルのパイロット・シンボル内に提供される請求項１３に記載のコンピュータ・プログラム製品。
【請求項１５】
前記パイロット・シンボルは、ＩＥＥＥ規格８０２．２０にしたがって構成された送信フレーム内のＴＤＭ３パイロット・シンボルである請求項１３に記載のコンピュータ・プログラム製品。
【請求項１６】
前記少なくとも１つの情報ビットは、ＩＥＥＥ８０２．２０にしたがって動作する無線通信システムにおいて、前記プリアンブルのパイロット・シンボルのＡｃｑＩｎｆｏブロック内に提供される請求項１３に記載のコンピュータ・プログラム製品。
【請求項１７】
前記コンピュータ読取可能媒体はさらに、前記コンピュータに、前記プリアンブル内に、少なくとも１つの第２の情報ビットを割り当てさせるためのコードをさらに備え、
前記少なくとも１つの第２の情報ビットは、前記少なくとも１つのビットが、前記無線通信システムのＴＤＤ動作を示す場合、ＴＤＤ分割情報を示し、前記少なくとも１つの第１のビットが、前記無線通信システムのＦＤＤ動作を示す場合、前記無線通信システムが、ハーフ・デュプレクスＦＤＤ動作およびフル・デュプレクスＦＤＤ動作のうちの１つにしたがって動作しているかを示すように構成された請求項１３に記載のコンピュータ・プログラム製品。
【請求項１８】
前記少なくとも１つの第２の情報ビットは、ＩＥＥＥ８０２．２０にしたがって動作する無線通信システムにおける前記プリアンブルのパイロット・シンボルのＡｃｑＩｎｆｏブロック内のハーフ・デュプレクス・イネーブル・ビットである請求項１７に記載のコンピュータ・プログラム製品。
【請求項１９】
無線通信システムにおいて動作可能な装置であって、
時分割デュプレクス（ＴＤＤ）モードおよび周波数分割デュプレクス（ＦＤＤ）モードのうちの１つにしたがって前記無線通信システムが動作していることを示すように構成された少なくとも１つの第１の情報ビットを提供する手段と、
送信フレームのプリアンブル内に、前記少なくとも１つの第１の情報ビットを提供する手段と
を備える装置。
【請求項２０】
前記少なくとも１つの情報ビットは、前記プリアンブルのパイロット・シンボル内に提供される請求項１９に記載の装置。
【請求項２１】
前記パイロット・シンボルは、ＩＥＥＥ規格８０２．２０にしたがって構成された送信フレーム内のＴＤＭ３パイロット・シンボルである請求項１９に記載の装置。
【請求項２２】
前記少なくとも１つの情報ビットは、ＩＥＥＥ８０２．２０にしたがって動作する無線通信システムにおいて、前記プリアンブルのパイロット・シンボルのＡｃｑＩｎｆｏブロック内に提供される請求項１９に記載の装置。
【請求項２３】
前記プリアンブル内に、少なくとも１つの第２の情報ビットを割り当てる手段をさらに備え、
前記少なくとも１つの第２の情報ビットは、前記少なくとも１つのビットが、前記無線通信システムのＴＤＤ動作を示す場合、ＴＤＤ分割情報を示し、前記少なくとも１つの第１のビットが、前記無線通信システムのＦＤＤ動作を示す場合、前記無線通信システムが、ハーフ・デュプレクスＦＤＤ動作およびフル・デュプレクスＦＤＤ動作のうちの１つにしたがって動作しているかを示すように構成された請求項１９に記載の装置。
【請求項２４】
前記少なくとも１つの第２の情報ビットは、ＩＥＥＥ８０２．２０にしたがって動作する無線通信システムにおける前記プリアンブルのパイロット・シンボルのＡｃｑＩｎｆｏブロック内のハーフ・デュプレクス・イネーブル・ビットである請求項２３に記載の装置。
【発明の詳細な説明】
【優先権主張】
【０００１】
本願は、２００７年９月１０日に出願され"METHOD AND APPARATUS FOR INCLUDING TDD/FDD MODE AND TDD PARTITION INFORMATION IN ACQINFO BLOCK FOR SYSTEM ACQUISITION"と題された米国仮出願６０／９７１，２０１号への優先権を主張する。上記出願は、本願の譲受人に譲渡され、本明細書において参照によって明確に組み込まれている。
【技術分野】
【０００２】
本開示は、一般に、システム獲得のためにフレーム内にモード情報を含める方法および装置に関し、さらに詳しくは、ＴＤＤモードにおける送信であるか、ＦＤＤモードにおける送信であるかに関するモード情報を、フレーム・プリアンブル内に含めることに関する。
【背景技術】
【０００３】
周波数分割デュプレクス（ＦＤＤ）通信モードおよび時分割デュプレクス（ＴＤＤ）通信モードの両方をサポートする特定の通信システムでは、ユーザ機器（ＵＥ）におけるシステム獲得中のタイミング情報の獲得が、特定の通信モードに依存する。したがって、そのようなシステムで動作可能なユーザ・デバイスは、タイミング獲得前に、現在の送信モードがＦＤＤであるかＴＤＤであるかを判定する必要がある。しかしながら、さまざまな周知の通信システムは、特定の動作モードでアクティブに通信していない。これによって、システム獲得中にタイミング情報を獲得することは、困難かつ非効率的になる。
【０００４】
さらに、ＩＥＥＥ規格８０２．２０にしたがったモバイル広帯域無線アクセス（ＭＢＷＡ）のようなこれらの特定のタイプのシステムでは、システム獲得を支援するために、（例えば、スーパフレームのような）送信フレームのプリアンブル内に、（例えば、ＡｃｑＩｎｆｏのような）挿入された獲得情報を適用することが知られている。しかしながら、この情報は、今のところ、ユーザ・デバイスに対する現在の送信が、ＴＤＤモードにしたがっているのか、あるいはＦＤＤモードにしたがっているのかを通信しないので、タイミング獲得が困難になる。しかしながら、ＩＥＥＥ８０２．２０によれば、ＦＤＤモード中の送信がフル・デュプレクスであるかハーフ・デュプレクスであるかを通信するハーフ・デュプレクス・イネーブル・ビットを、このビットのバイナリ状態に依存して、適用することが注目される。しかしながら、ＴＤＤモードでは、順方向リンク送信（例えば、基地局またはアクセス・ポイント（ＡＰ）からユーザ機器（ＵＥ）、アクセス端末（ＡＴ）またはモバイル・デバイスへの送信）および逆方向リンク送信（例えば、ＵＥ、ＡＴまたはモバイル・デバイスから基地局またはＡＰへの送信）のために時分割されたリソースのうちのさまざまな異なる分割が知られている。既知のシステムにおいて一般的である、ダウンリンク・フレーム対アップリンク・フレームの特定の分割比が、システム内のデバイスによって知られている場合、タイミング獲得がさらに遅れる。
【発明の概要】
【０００５】
態様によれば、無線通信システムで使用される方法が開示される。この方法は、時分割デュプレクス（ＴＤＤ）モードまたは周波数分割デュプレクス（ＦＤＤ）モードのうちの１つにしたがって通信システムが動作していることを示すように構成された少なくとも１つの第１の情報ビットを提供することを含む。さらに、この方法は、送信フレームのプリアンブル内に、少なくとも１つの第１の情報ビット提供することを含む。
【０００６】
別の態様によれば、無線通信システムにおいて動作可能な装置が示される。この装置は、時分割デュプレクス（ＴＤＤ）モードまたは周波数分割デュプレクス（ＦＤＤ）モードのうちの１つにしたがって通信システムが動作していることを示すように構成された少なくとも１つの第１の情報ビットを提供するように構成された少なくとも１つのプロセッサを含む。この少なくとも１つのプロセッサはまた、送信フレームのプリアンブル内に、少なくとも１つの第１の情報ビットを提供するように構成される。この少なくとも１つのプロセッサに接続されたメモリも、この装置に含まれる。
【０００７】
さらなる態様によれば、コンピュータ読取可能媒体を備えたコンピュータ・プログラム製品が示される。コンピュータ読取可能媒体は、コンピュータに対して、時分割デュプレクス（ＴＤＤ）モードまたは周波数分割デュプレクス（ＦＤＤ）モードのうちの１つにしたがって通信システムが動作していることを示すように構成された少なくとも１つの第１の情報ビットを提供させるためのコードを含む。この媒体はまた、コンピュータに対して、無線通信システムで送信されるべき送信フレームのプリアンブル内に、少なくとも１つの第１の情報ビットを提供させるためのコードをも含む。
【０００８】
さらなる態様によれば、無線通信システムにおいて動作可能な装置が示される。この装置は、時分割デュプレクス（ＴＤＤ）モードまたは周波数分割デュプレクス（ＦＤＤ）モードのうちの１つにしたがって通信システムが動作していることを示すように構成された少なくとも１つの第１の情報ビットを提供する手段を含む。さらに、送信フレームのプリアンブル内に、少なくとも１つの第１の情報ビットを提供する手段が含まれる。
【図面の簡単な説明】
【０００９】
【図１】図１は、ここで開示される方法および装置が適用される典型的な無線通信システムである。
【図２】図２は、図１のシステムで利用される送信フレーム・フォーマットを示す。
【図３】図３は、１：１の分割比を有する典型的なＴＤＤ送信を示す。
【図４】図４は、２：１の分割比を有する典型的なＴＤＤ送信を示す。
【図５】図５は、無線送信においてＦＤＤモード情報およびＴＤＤモード情報の通信を提供する方法を例示する。
【図６】図６は、無線送信においてＦＤＤモード情報およびＴＤＤモード情報の通信を達成するための典型的な装置を例示する。
【発明を実施するための形態】
【００１０】
本開示は、ＦＤＤモードであるかＴＤＤモードであるかといった送信モードを通信するための情報を、送信フレーム内に提供する方法および装置に着目している。この情報は、送信フレーム（すなわち、スーパフレーム）のプリアンブル内に、単一のバイナリ・ビットを備えうる。この送信フレームは、送信フレームを受信する装置へ、ＦＤＤ送信モードあるいはＴＤＤ送信モードの何れかを通信する。さらに、別の態様では、本開示はまた、ＦＤＤにしたがって送信している場合にフル・デュプレクス・モードまたはハーフ・デュプレクス・モードで通信するのみならず、ＴＤＤにしたがって送信している場合に分割情報を通信する追加機能をもって通信するために、例としてＩＥＥＥ８０２．２０システムにおけるハーフ・デュプレクス・イネーブル・ビットのような残りのリソースを再利用する方法および装置をも含む。
【００１１】
図１は、ここで開示される方法および装置が適用される典型的な無線通信システムを例示する。アクセス・ポイント１００（ＡＰ）は、複数のアンテナ・グループを含んでおり、１つが１０４および１０６を含み、別のものが１０８および１１０を含み、さらに別のものが１１２および１１４を含んでいる。図１では、おのおののアンテナ・グループについて、２本のアンテナのみが示されている。しかしながら、おのおのアンテナ・グループについて、２本よりも多いあるいは少ないアンテナもまた利用されうる。アクセス端末１１６（ＡＴ）は、アンテナ１１２、１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。
【００１２】
図１のシステムは、ＦＤＤモードとＴＤＤモードとの両方をサポートすることが注目される。ＦＤＤモードでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。アクセス・ポイント（例えば１００）は、端末と通信するために使用される固定局であり、さらにアクセス・ポイント（ＡＰ）、ノードＢ、基地局、またはその他いくつかの用語で称されることが注目される。アクセス端末はまた、ユーザ機器（ＵＥ）、無線通信デバイス、端末、ユーザ・デバイス、モバイル・デバイス、あるいはその他いくつかの用語で称されうる。
【００１３】
図２は、図１のシステムで利用されうる送信フレーム・フォーマットを示す。例示されるように、一例としてスーパフレームでありうる送信フレーム２００は、システム獲得およびタイミング獲得のために、シンボルを含むさまざまなオーバヘッド・シンボルを含むプリアンブル２０２を含む。送信フレーム２００はさらに、フレーム２００によって送信されるべきデータを含んでいるペイロード２０４を含んでいる。特に、フレーム２００は、３つの時分割多重化（ＴＤＭ）されたパイロット・チャネル、すなわち、ＴＤＭパイロット１（２０６）、ＴＤＭパイロット２（２０８）、およびＴＤＭパイロット３（２１０）を含む。ＴＤＭパイロット１  ２０６は、特に、粗いタイミング獲得のために、トランシーバによって使用される。ＴＤＭパイロット２  ２０８は、時間において、ＴＤＭ１  ２０６に続く。ＴＤＭ２  ２０８は、精細なタイミング獲得または再獲得のためにトランシーバによって使用される擬似乱数（ＰＮ）シーケンスまたはコードを含む。
【００１４】
ＴＤＭパイロット３チャネル２１０は、受信デバイスへ追加のシステム情報を通信するために利用されうる。態様によれば、ＭＢＷＡシステム（すなわち、ＩＥＥＥ８０２．２０規格）では、ＴＤＭパイロット３に含まれる情報は、受信デバイスへの現在の送信がＦＤＤ送信であるかＴＤＤ送信であるかに関する情報を含んでいないことが注目される。したがって、本方法および本装置は、プリアンブル内の例えばＴＤＭ３内に、この送信がＦＤＤ送信であるかＴＤＤ送信であるかを通信する少なくとも１つの追加の情報ビットを提供する。一例として、ゼロ（０）状態のビットは、ＦＤＤモードを示すことができ、１状態のビットは、ＴＤＤモードを示すことができる。
【００１５】
また、ＭＢＷＡシステム（すなわち、ＩＥＥＥ８０２．２０規格）では、ＴＤＭ３チャネルは、システム獲得のために送信された獲得情報（ＡｃｑＩｎｆｏ）ブロック（図示せず）を、プリアンブル内に含む。したがって、態様では、上述した追加ビットが、ＡｃｑＩｎｆｏブロックに含まれるが、そのような配置に限定されず、スーパフレーム・プリアンブルの任意の部分に含まれうることが考慮される。ビットがＡｃｑＩｎｆｏブロックに追加されるか、あるいはプリアンブル内の何れかに追加されるかに関わらず、単一のビットしか追加しないことによって、スーパフレームへ最小のオーバヘッドしか加えない。プリアンブルでは、さらなる情報を通信するために、あるいは、別の例として、２よりも多いモードが通信システムによってサポートされている場合、モードを通信するために、１ビットより多い追加ビットが使用されうることが注目される。
【００１６】
ＴＤＤ送信では、特定の順方向リンクによっておよび逆方向リンクによってデュプレクスされた送信が交互に行われるか、あるいは、特定の定められた比率で、時間的に分割されることが知られている。実例として、図３は、１：１の分割比を有するＴＤＤ送信を示す。ここでは、順方向リンク送信３０２が、時間において、逆方向リンク送信３０４と交互する。異なるＴＤＤ分割の別の例として、図４は、２：１の分割比を示す。ここでは、時間において連続して送信される２つの順方向リンク送信４０２、４０４毎に、１つの逆方向リンク４０６が続く。
【００１７】
ある通信システムでは、ＦＤＤモードにおいて、ＦＤＤ送信がフル・デュプレクスであるかハーフ・デュプレクスであるかを示すために、プリアンブル内のビットを利用することが知られている。ＭＢＷＡシステムの場合、具体的な例として、この既存のビットは、“ハーフ・デュプレクス・イネーブル”ビットと称され、ＡｃｑＩｎｆｏブロック内に位置する。例えば図３および図４に例示されるような分割のように、ＴＤＤ送信のための特定の分割に関し、ＴＤＤモードで動作するシステムでは、現在、何のインジケーションも与えられていない。さらなる態様によれば、（例えば、ハーフ・デュプレクス・イネーブル・ビットのような）プリアンブル内の既存のビットは、現在、ＦＤＤモードでのみ使用されているので、このビットは、ＴＤＤ分割のインジケータとして使用される（あるいは、実質的に再使用される）と考えられる。したがって、上述した第１のビットがＦＤＤを示す場合、第２のビットは、ＦＤＤフル・デュプレクス動作とハーフ・デュプレクス動作のうちの何れかが利用されているかを示す。さらに、第１のビットがＴＤＤモードを示す場合、２モードの場合、２つの分割比のうちのどちらが使用されているのかを示すために、同じ第２のハーフ・デュプレクス・イネーブル・ビットが利用されうる。例えば、第２のビットがゼロ（０）状態に設定されている場合、図４に例示するような２：１のＴＤＤ分割を意味する。そうではない場合、１状態に設定されていることは、例えば図３に例示される１：１の分割のような別の分割を示す。これは単に、任意に選択された比率の例であり、システムでは、その他さまざまな比率も適用され、ビット選択を意味することが注目される。さらに、２を超える異なるＴＤＤ分割がシステムにおいて利用される場合、この情報にさらなるビットが追加されうる。
【００１８】
図５は、例えば図１のシステムのような無線通信システムで適用されうるＦＤＤモード情報およびＴＤＤモード情報の通信を提供する方法５００を例示する。方法５００は、通信システムがＴＤＤモードまたはＦＤＤモードにしたがって動作していることを示すように構成された少なくとも１つの第１の情報ビットを提供する第１のブロック５０２を示す。既に説明したように、この第１の情報ビットは、一例として単一のバイナリ・ビットであり、その状態は、現在、ＦＤＤ送信モードであるか、あるいはＴＤＤモードであるかを示す。第１の情報ビットは、無線通信システムにおいて送信されるべき送信フレームのプリアンブル内に提供、配置、あるいは挿入されうる。既に説明したように、ＩＥＥＥ８０２．２０システムの例において、第１の情報ビットは、スーパフレームのＴＤＭパイロット３チャネル内へ、別の態様では、ＴＤＭパイロット３内のＡｃｑＩｎｆｏブロックへ挿入されることが注目される。
【００１９】
図５はさらに、破線で示すように、追加処理であるが代替処理を提供する補足ブロック５０６を例示する。ブロック５０６は、特に、第１の情報ビットがＴＤＤ動作を示す場合に、ＴＤＤ分割情報を示すために、第１の情報ビットがＦＤＤ動作を示す場合に、ハーフ・デュプレクスＦＤＤ動作およびフル・デュプレクスＦＤＤ動作を示すために、プリアンブル内に、少なくとも１つの第２の情報ビットを割り当てる。１つの態様によれば、第２の情報ビットは、本明細書において上述したように、ＩＥＥＥ８０２．２０にしたがって動作するシステムのスーパフレーム・プリアンブル内に既に存在するハーフ・デュプレクス・イネーブル・ビットであることが注目される。したがって、ブロック５０６の処理によって、ＴＤＤ送信に関する更なる分割情報を通信するために、この情報ビットを再使用することができる。これは、伝送される情報量をプリアンブル内に追加しながら、追加されたリソースに対する必要性を無くする。
【００２０】
方法５００の処理のうちの１または複数は、通信システムにおいてアセンブルされ送信されるおのおののスーパフレームについて繰り返されることが注目される。あるいは、方法５００の処理のうちの１または複数は、周期的に実行され、周期的なスーパフレームのみに、追加のビット情報が提供される。
【００２１】
図６は、ＴＤＤおよびＦＤＤをサポートする通信システムである特定の送信モードの通信に関する情報を提供する装置を例示する。この装置６００は、単なる２つの例として、図１に例示するように、例えば基地局またはアクセス・ポイント・デバイス１００、あるいは、ユーザ機器１１６、１２２のような通信システムにおけるその他のデバイスのような無線デバイスで利用されうるさまざまな構成要素を含みうる。
【００２２】
装置６００は、電力バス、制御信号バス、ステータス信号バス、データ・バス、これら任意の組み合わせ、あるいは、その他任意の適切な通信リンクを含みうる通信バス６０２によって通信可能に接続された多くのさまざまな構成要素を含みうる。また、装置６００には、装置６００の動作を制御する少なくとも１つのプロセッサ６０４が含まれる。このプロセッサ６０４は、中央処理装置（ＣＰＵ）とも称されうる。装置６００はさらに、読取専用メモリ（ＲＯＭ）とランダム・アクセス・メモリとの両方を含み、命令群およびデータをプロセッサ６０４へ提供する、メモリ６０６を含む。メモリ６０６の一部はまた、一例として、不揮発性ランダム・アクセス・メモリ（ＮＶＲＡＭ）をも含みうる。プロセッサ６０４は、メモリ６０６内に格納されたプログラム命令群に基づいて、論理動作および演算動作を実行するように構成される。さらに、メモリ６０６の命令群は、本明細書に記載された方法を実現するように実行することが可能でありうる。
【００２３】
装置６００はまた、例えば、装置６００を適用する無線デバイスと、その他の無線デバイスとの間での、無線信号の送信および受信を提供する送信機／受信機回路６０８をも含みうる。１または複数のアンテナ６１０が、図６に例示するように、送信機／受信機回路６０８に通信可能に接続されうる。装置６００を適用する無線デバイスは、複数の送信機、複数の受信機、および／または複数のアンテナを含みうることが注目される。
【００２４】
装置６００はまた、例えば、図２乃至図５に関連して上述したさまざまな処理および機能のような、本明細書に記載された機能および方法を有効にするための手段として構成される。さらに、装置６００は、受信された信号を処理する際に使用されるデジタル信号プロセッサ（ＤＳＰ）６１４を含みうる。さらに、プロセッサ６０４および／またはＤＳＰ６１４は、代替実施例として、送信フレーム・アセンブリ・モジュール６１２によって実行される機能のうちのいくつかまたは全てを含みうることが注目される。
【００２５】
開示された処理におけるステップの具体的な順序または階層は、典型的なアプローチの例であることが理解される。設計選択に基づいて、これら処理におけるステップの具体的な順序または階層は、本開示の範囲内であることを維持しながら、並び替えられうることが理解される。これに伴う方法請求項は、さまざまなステップの現在の要素をサンプル順で示しており、ここで示された具体的な順序または階層に限定されないことが意図される。
【００２６】
当業者であれば、これら情報および信号が、種々異なった技術や技法を用いて表されることを理解するであろう。例えば、上述した記載の全体で引用されているデータ、命令群、コマンド、情報、信号、ビット、シンボル、およびチップは、電圧、電流、電磁波、磁場または磁性粒子、光学場または光学微粒子、あるいはこれら何れかの組み合わせによって表現されうる。
【００２７】
当業者であれば、さらに、本開示の実施形態に関連して記載された様々な例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、様々な例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、各特定のアプリケーションに応じて変化する方法で上述した機能を実現することができる。しかしながら、この適用判断は、本発明の範囲からの逸脱をもたらすものと解釈されるべきではない。
【００２８】
本明細書での開示に関連して記述された様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００２９】
本開示の実施形態に関連して記述されたアルゴリズムや方法のステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。このプロセッサと記憶媒体とは、ＡＳＩＣ内に存在することができる。ＡＳＩＣは、ユーザ端末内に存在することもできる。あるいはこのプロセッサと記憶媒体とは、ユーザ端末内のディスクリート部品として存在することができる。
【００３０】
開示された例の上記記載は、当業者をして、本開示の方法または装置の製造または利用を可能とするように提供される。これらの開示への様々な変形例もまた、当業者には明らかであって、本明細書で定義された一般的な原理は、本発明の主旨または範囲から逸脱することなく他のバリエーションにも適用されうる。用語「典型的」は、本明細書において、「例、事例、または実例として役立つ」ことを意味するために用いられていることが注目される。本明細書で「典型的」と記載されている例は、必ずしも他の例よりも好適であるとか有利であるとか解釈される必要はない。このように、本開示は、本明細書で示された例や設計に限定されるものではなく、本明細書で開示された原理および新規な特徴に一致した最も広い範囲に相当することが意図されている。
【図１】
2010539799.tif 000003
【図２】
2010539799.tif 000004
【図３】
2010539799.tif 000005
【図４】
2010539799.tif 000006
【図５】
2010539799.tif 000007
【図６】
2010539799.tif 000008
【国際調査報告】
2010539799.tif 000009
2010539799.tif 000010